(57)【要約】変圧器の設計と構成に関する種々の技術が開示される。１つの態様においては、本発明の実施形態による方法は、電源設計に含まれる変圧器のパラメータをロードするステップと、変圧器のロードされたパラメータに応じて変圧器の一次側巻線パラメータを計算するステップと、変圧器のロードされたパラメータに応じて変圧器の二次側巻線パラメータを計算するステップとを含む。変圧器のシールド巻線パラメータは、変圧器のロードされたパラメータに応じて計算することができる。二次側巻線パラメータの計算は、変圧器の二次側巻線のピンを割り付けるステップを含むことができる。【選択図】図１
2008521219.tif 000002
【特許請求の範囲】
【請求項１】
変圧器構成設計を作成する方法であって、
電源設計に含まれる変圧器のパラメータをロードするステップと、
前記ロードされたパラメータに応じて前記変圧器の一次側巻線パラメータを計算するステップと、
前記ロードされたパラメータに応じて前記変圧器の二次側巻線パラメータを計算するステップと、
前記ロードされたパラメータに応じて前記変圧器のシールド巻線パラメータを計算するステップと、
を含む方法。
【請求項２】
前記ロードされたパラメータに応じて前記変圧器のバイアス巻線パラメータを計算するステップを更に含む請求項１に記載の方法。
【請求項３】
前記変圧器を構成するのに用いられる材料のリストを作成するステップを更に含む請求項１に記載の方法。
【請求項４】
前記変圧器を構成するのに用いられる巻線指示を作成するステップを更に含む請求項１に記載の方法。
【請求項５】
前記変圧器構成設計の出力レポートを作成するステップを更に含む請求項１に記載の方法。
【請求項６】
前記変圧器の一次側巻線パラメータを計算するステップは、前記変圧器のパラメータに含まれる一次側巻線のワイヤサイズが許容可能でない場合に、前記変圧器の一次側巻線の同等のワイヤサイズとフィラーを計算するステップを含む請求項１に記載の方法。
【請求項７】
前記一次側巻線の同等のワイヤサイズとフィラーを計算するステップは、特定の巻線、前記電源のトポロジー、前記ロードされたパラメータに記述される前記電源のスイッチング周波数のうちの１つ又はそれ以上に基づいて前記一次側巻線の同等のワイヤサイズとフィラーを計算するステップを含む請求項６に記載の方法。
【請求項８】
前記変圧器の一次側巻線パラメータを計算するステップは、前記変圧器の一次側巻の線ピン割り付けを計算するステップを含む請求項１に記載の方法。
【請求項９】
前記変圧器の一次側巻線パラメータを計算するステップは、前記変圧器構成設計でスプリット一次側巻線を利用するかどうかを決定するステップを含む請求項１に記載の方法。
【請求項１０】
前記変圧器の一次側巻線パラメータを計算するステップは、前記変圧器構成設計において１つのピン当たりに終端されるワイヤの数に基づいて前記変圧器構成設計に含まれるピンの総数を決定するステップを含む請求項１に記載の方法。
【請求項１１】
前記変圧器の一次側巻線パラメータを計算するステップは、１つのピン当たりに終端されるワイヤの最大数に基づいて前記変圧器構成設計において付加的なピンを割り付けるステップを更に含む請求項１０に記載の方法。
【請求項１２】
前記変圧器の一次側巻線パラメータを計算するステップは、前記変圧器の各ピン上で終端するのが前記変圧器のどの巻線であるかを識別するステップを更に含む請求項１０に記載の方法。
【請求項１３】
前記変圧器のバイアス巻線パラメータを計算するステップは、前記変圧器のバイアス巻線のワイヤゲージを決定するステップを含む請求項２に記載の方法。
【請求項１４】
前記変圧器のバイアス巻線パラメータを計算するステップは、前記変圧器のバイアス巻線が占めることになるボビンウィンドウ幅のパーセンテージを計算するステップを含む請求項２に記載の方法。
【請求項１５】
前記変圧器のバイアス巻線パラメータを計算するステップは、バイアス巻線ピンを割り付けるステップを含む請求項２に記載の方法。
【請求項１６】
前記変圧器の二次側巻線パラメータを計算するステップは、前記変圧器の二次側巻線のピン配列を計算するステップを含む請求項１に記載の方法。
【請求項１７】
前記変圧器の二次側巻線のピン配列を計算するステップは、前記変圧器に独立しているか或いはスタックされた出力があるかどうかに少なくとも部分的に基づくことを特徴とする請求項１６に記載の方法。
【請求項１８】
前記変圧器の二次側巻線のピン配列を計算するステップは、電圧によって前記変圧器の二次側ピンを割り付けるステップを含む請求項１６に記載の方法。
【請求項１９】
電圧によって前記変圧器の二次側ピンを割り付けるステップは、電圧出力によってソートされたスタック出力シーケンスに基づいて前記二次側ピンを割り付けるステップを含む請求項１８に記載の方法。
【請求項２０】
１つのピン当たりのワイヤの数が許容可能でない場合に付加的な二次側ピンを割り付けるステップを更に含む請求項１９に記載の方法。
【請求項２１】
前記変圧器の二次側巻線のピン配列を計算するステップは、電流によって前記変圧器の二次側ピンを割り付けるステップを含む請求項１６に記載の方法。
【請求項２２】
電流によって前記変圧器の二次側ピンを割り付けるステップは、
電流によって前記二次側ピンをソートするステップと、
前記変圧器の二次側ボビン部分の中央で接地ピンを動かすステップと、
前記接地ピンに対して奇数と偶数の二次側ピンを割り当てるステップと、
１つのピン当りのワイヤの数が許容可能でない場合に付加的な二次側ピンを割り付けるステップと、
前記変圧器が負の出力を含む場合に負の出力ピンを割り当てるステップと、
二次側ピン開始を割り当てるステップと、
を含む請求項２１に記載の方法。
【請求項２３】
二次側ピンをシフトさせて電圧による割り付けの範囲を一致させるステップを更に含む請求項２１に記載の方法。
【請求項２４】
前記変圧器の二次側巻線パラメータを計算するステップは、前記変圧器の二次側巻線のワイヤサイズを計算するステップを含む請求項１に記載の方法。
【請求項２５】
前記変圧器の二次側巻線パラメータを計算するステップは、前記変圧器のパラメータに含まれる二次側巻線のワイヤサイズが許容可能でない場合に、前記変圧器の二次側巻線の同等のワイヤサイズとフィラーを計算するステップを含む請求項１に記載の方法。
【請求項２６】
前記変圧器のシールド巻線パラメータを計算するステップは、前記変圧器の一次側巻線がスプリットであるかどうかを判定するステップを含む請求項１に記載の方法。
【請求項２７】
前記変圧器のシールド巻線パラメータを計算するステップは、前記変圧器においてフォイル技術が利用されるかどうかを判定するステップを含む請求項１に記載の方法。
【請求項２８】
前記変圧器のシールド巻線パラメータを計算するステップは、前記変圧器において一次側バイアスフィードバックがあるかどうかを判定するステップを含む請求項１に記載の方法。
【請求項２９】
前記変圧器のシールド巻線パラメータを計算するステップは、計算されたシールド巻線層幅が前記変圧器の１つの層よりも多く占めるかどうか判定するステップを含む請求項１に記載の方法。
【請求項３０】
前記変圧器の二次側ピンを割り付けるステップを更に含む請求項１に記載の方法。
【請求項３１】
前記変圧器の二次側ピンを割り付けるステップは、どのくらい多くの二次側ピンが前記変圧器に含まれるべきかを決定するステップを含む請求項３０に記載の方法。
【請求項３２】
前記変圧器の二次側ピンを割り付けるステップは、どのくらい多くの接地ピンが含まれるべきかを決定するステップを含む請求項３０に記載の方法。
【請求項３３】
コンピュータ上で実行される電源設計ソフトウェアプログラムによって前記電源設計を作成するステップを更に含み、前記電源設計は、前記電源設計に含まれる前記変圧器のパラメータをロードする前に作成されることを特徴とする請求項１に記載の方法。
【請求項３４】
前記電源設計に含まれる前記変圧器のパラメータをロードするステップは、前記コンピュータによってアクセスされたマシン可読媒体からファイルにアクセスことによって前記変圧器のパラメータをロードするステップを含む請求項３３に記載の方法。
【請求項３５】
前記電源設計ソフトウェアプログラムによって作成された電源設計は、前記変圧器に結合される集積回路電源コントローラを含むことを特徴とする請求項３３に記載の方法。
【請求項３６】
前記方法は、コンピュータ上で変圧器構成設計ソフトウェアプログラムを実行することによって行われることを特徴とする請求項１に記載の方法。
【請求項３７】
前記変圧器構成設計ソフトウェアプログラムは、前記変圧器のロードされたパラメータを含む前記電源設計を作成するために前記コンピュータ上で実行される電源設計ソフトウェアプログラムと同じコンピュータ上で実行されることを特徴とする請求項３６に記載の方法。
【請求項３８】
マシンによってアクセスされたときに、
電源設計を含む変圧器のパラメータをロードするステップと、
前記ロードされたパラメータに応じて前記変圧器の一次側巻線パラメータを計算するステップと、
前記ロードされたパラメータに応じて前記変圧器の二次側巻線パラメータを計算するステップと、
前記ロードされたパラメータに応じて前記変圧器のシールド巻線パラメータを計算するステップと、
を含むオペレーションを実行するようにマシンに行わせるデータを含むマシンアクセス可能媒体を備えた製造品。
【請求項３９】
前記ロードされたパラメータに応じて前記変圧器のバイアス巻線パラメータを計算するように前記マシンに更に行わせることを特徴とする請求項３８に記載の製造品。
【請求項４０】
前記変圧器を構成するのに用いられる材料のリストを作成するように前記マシンに更に行わせることを特徴とする請求項３８に記載の製造品。
【請求項４１】
前記変圧器を構成するのに用いられる巻線指示を作成するように前記マシンに更に行わせることを特徴とする請求項３８に記載の製造品。
【請求項４２】
前記変圧器構成設計の出力レポートを作成するように前記マシンに更に行わせることを特徴とする請求項３８に記載の製造品。
【請求項４３】
前記変圧器の二次側巻線パラメータを計算するとき、前記変圧器の二次側巻線のピン配列を計算することを前記マシンに行わせることを特徴とする請求項３８に記載の製造品。
【請求項４４】
前記変圧器の二次側巻線のピン配列を計算するときに、
電流によって前記二次側ピンをソートするステップと、
前記変圧器の二次側ボビン部分の中央で接地ピンを移動させるステップと、
前記接地ピンに対して奇数と偶数二次側ピンを割り当てるステップと、
１つのピン当たりのワイヤの数が許容可能でない場合に付加的な二次側ピンを割り付けるステップと、
前記変圧器が負の出力を含む場合に負の出力ピンを割り当てるステップと、
二次側ピン開始を割り当てるステップと、
を前記マシンに更に行わせることを特徴とする請求項４３に記載の製造品。
【請求項４５】
前記変圧器のシールド巻線パラメータを計算するときに、前記変圧器の一次側巻線がスプリットであるかどうかを判定するように前記マシンに行わせることを特徴とする請求項３８に記載の製造品。
【請求項４６】
前記変圧器のシールド巻線パラメータを計算するときに、前記変圧器においてフォイル技術が利用されるかどうかを判定するように前記マシンに行わせることを特徴とする請求項３８に記載の製造品。
【請求項４７】
前記変圧器のシールド巻線パラメータを計算するときに、前記変圧器に一次側バイアスフィードバックがあるかどうかを判定するように前記マシンに行わせることを特徴とする請求項３８に記載の製造品。
【請求項４８】
前記変圧器のシールド巻線パラメータを計算するときに、計算されたシールド巻線層幅が前記変圧器の１つの層よりも多く占めるかどうかを判定するように前記マシンに行わせることを特徴とする請求項３８に記載の製造品。
【請求項４９】
前記マシンアクセス可能媒体は、コンピュータ記憶媒体を含むことを特徴とする請求項３８に記載の製造品。
【請求項５０】
前記マシンアクセス可能媒体は、搬送波信号を含むことを特徴とする請求項３８に記載の製造品。
【請求項５１】
前記マシン上で実行される電源設計ソフトウェアプログラムによって前記電源設計を作成するように前記マシンに更に行わせ、前記電源設計ソフトウェアプログラムは、前記電源設計に含まれる前記変圧器のパラメータをロードする前に実行されることを特徴とする請求項３８に記載の製造品。
【請求項５２】
前記電源設計に含まれる前記変圧器のパラメータをロードするステップは、前記コンピュータによってアクセスされた前記マシン可読媒体からファイルにアクセスすることによって、前記変圧器のパラメータをロードするステップを含む請求項５１に記載の製造品。
【請求項５３】
前記電源設計ソフトウェアプログラムによって作成された前記電源設計は、前記変圧器に結合される集積回路電源コントローラを含むことを特徴とする請求項５１に記載の製造品。
【請求項５４】
変圧器構成設計を作成する方法であって、
電源設計に含まれる変圧器のパラメータをロードするステップと、
前記ロードされたパラメータに応じて前記変圧器の一次側巻線パラメータを計算するステップと、
前記ロードされたパラメータに応じて前記変圧器の二次側巻線パラメータを計算するステップと、
を含み、
前記変圧器の二次側巻線パラメータを計算するステップが、前記変圧器の二次側巻線のピンを割り付けるステップを含む方法。
【請求項５５】
前記ロードされたパラメータに応じて前記変圧器のバイアス巻線パラメータを計算するステップを更に含む請求項５４に記載の方法。
【請求項５６】
前記ロードされたパラメータに応じて前記変圧器のシールド巻線パラメータを計算するステップを更に含む請求項５４に記載の方法。
【請求項５７】
前記変圧器を構成するのに用いられる材料のリストを作成するステップを更に含む請求項５４に記載の方法。
【請求項５８】
前記変圧器を構成するのに用いられる巻線指示を作成するステップを更に含む請求項５４に記載の方法。
【請求項５９】
前記変圧器構成設計の出力レポートを作成するステップを更に含む請求項５４に記載の方法。
【請求項６０】
前記変圧器の一次側巻線パラメータを計算するステップは、前記変圧器のパラメータに含まれる一次側巻線のワイヤサイズが許容可能でない場合に、前記変圧器の一次側巻線の同等のワイヤサイズとフィラーを計算するステップを含む請求項５４に記載の方法。
【請求項６１】
前記一次側巻線の同等のワイヤサイズとフィラーを計算するステップは、特定の巻線、前記電源のトポロジー、前記ロードされたパラメータに記述される前記電源のスイッチング周波数のうちの１つ又はそれ以上に基づいて前記一次側巻線の同等のワイヤサイズとフィラーを計算するステップを含む請求項６０に記載の方法。
【請求項６２】
前記変圧器の一次側巻線パラメータを計算するステップは、前記変圧器の一次側巻の線ピン割り付けを計算するステップを含む請求項５４に記載の方法。
【請求項６３】
前記変圧器の一次側巻線パラメータを計算するステップは、前記変圧器構成設計でスプリット一次側巻線を利用するかどうかを決定するステップを含む請求項５４に記載の方法。
【請求項６４】
前記変圧器の一次側巻線パラメータを計算するステップは、前記変圧器構成設計において１つのピン当たりに終端されるワイヤの数に基づいて前記変圧器構成設計に含まれるピンの総数を決定するステップを含む請求項５４に記載の方法。
【請求項６５】
前記変圧器の一次側巻線パラメータを計算するステップは、１つのピン当たりに終端されるワイヤの最大数に基づいて前記変圧器構成設計において付加的なピンを割り付けるステップを更に含む請求項６４に記載の方法。
【請求項６６】
前記変圧器の一次側巻線パラメータを計算するステップは、前記変圧器の各ピン上で終端するのが前記変圧器のどの巻線であるかを識別するステップを更に含む請求項６４に記載の方法。
【請求項６７】
前記変圧器のバイアス巻線パラメータを計算するステップは、前記変圧器のバイアス巻線のワイヤゲージを決定するステップを含む請求項５５に記載の方法。
【請求項６８】
前記変圧器のバイアス巻線パラメータを計算するステップは、前記変圧器のバイアス巻線が占めることになるボビンウィンドウ幅のパーセンテージを計算するステップを含む請求項５５に記載の方法。
【請求項６９】
前記変圧器のバイアス巻線パラメータを計算するステップは、バイアス巻線ピンを割り付けるステップを含む請求項５５に記載の方法。
【請求項７０】
前記変圧器の二次側巻線のピンを割り付けるステップは、前記変圧器に独立しているか或いはスタックされた出力があるかどうかに少なくとも部分的に基づくことを特徴とする請求項５４に記載の方法。
【請求項７１】
前記変圧器の二次側巻線のピンを割り付けるステップは、電圧によって前記変圧器の二次側ピンを割り付けるステップを含む請求項５４に記載の方法。
【請求項７２】
電圧によって前記変圧器の二次側ピンを割り付けるステップは、電圧出力によってソートされたスタック出力シーケンスに基づいて前記二次側ピンを割り付けるステップを含む請求項７１に記載の方法。
【請求項７３】
１つのピン当たりのワイヤの数が許容可能でない場合に付加的な二次側ピンを割り付けるステップを更に含む請求項７２に記載の方法。
【請求項７４】
前記変圧器の二次側巻線のピンを割り付けるステップは、電流によって前記変圧器の二次側ピンを割り付けるステップを含む請求項５４に記載の方法。
【請求項７５】
電流によって前記変圧器の二次側ピンを割り付けるステップは、
電流によって前記二次側ピンをソートするステップと、
前記変圧器の二次側ボビン部分の中央で接地ピンを動かすステップと、
前記接地ピンに対して奇数と偶数の二次側ピンを割り当てるステップと、
１つのピン当りのワイヤの数が許容可能でない場合に付加的な二次側ピンを割り付けるステップと、
前記変圧器が負の出力を含む場合に負の出力ピンを割り当てるステップと、
二次側ピン開始を割り当てるステップと、
を含む請求項７４の記載の方法。
【請求項７６】
二次側ピンをシフトさせて電圧による割り付けの範囲を一致させるステップを更に含む請求項７５の記載の方法。
【請求項７７】
前記変圧器の二次側巻線パラメータを計算するステップは、前記変圧器の二次側巻線のワイヤサイズを計算するステップを含む請求項５４に記載の方法。
【請求項７８】
前記変圧器の二次側巻線パラメータを計算するステップは、前記変圧器のパラメータに含まれる二次側巻線のワイヤサイズが許容可能でない場合に、前記変圧器の二次側巻線の同等のワイヤサイズとフィラーを計算するステップを含む請求項５４に記載の方法。
【請求項７９】
前記変圧器のシールド巻線パラメータを計算するステップは、前記変圧器の一次側巻線がスプリットであるかどうかを判定するステップを含む請求項５６に記載の方法。
【請求項８０】
前記変圧器のシールド巻線パラメータを計算するステップは、前記変圧器においてフォイル技術が利用されるかどうかを判定するステップを含む請求項５６に記載の方法。
【請求項８１】
前記変圧器のシールド巻線パラメータを計算するステップは、前記変圧器において一次側バイアスフィードバックがあるかどうかを判定するステップを含む請求項５６に記載の方法。
【請求項８２】
前記変圧器のシールド巻線パラメータを計算するステップは、計算されたシールド巻線層幅が前記変圧器の１つの層よりも多く占めるかどうか判定するステップを含む請求項５６に記載の方法。
【請求項８３】
前記変圧器の二次側ピンを割り付けるステップは、どのくらい多くの二次側ピンが前記変圧器に含まれるべきかを決定するステップを含む請求項５４に記載の方法。
【請求項８４】
前記変圧器の二次側ピンを割り付けるステップは、どのくらい多くの接地ピンが含まれるべきかを決定するステップを含む請求項５４に記載の方法。
【請求項８５】
コンピュータ上で実行される電源設計ソフトウェアプログラムによって前記電源設計を作成するステップを更に含み、前記電源設計は、前記電源設計に含まれる前記変圧器のパラメータをロードする前に作成されることを特徴とする請求項５４に記載の方法。
【請求項８６】
前記電源設計に含まれる前記変圧器のパラメータをロードするステップは、前記コンピュータによってアクセスされたマシン可読媒体からファイルにアクセスことによって前記変圧器のパラメータをロードするステップを含む請求項８５に記載の方法。
【請求項８７】
前記電源設計ソフトウェアプログラムによって作成された電源設計は、前記変圧器に結合される集積回路電源コントローラを含むことを特徴とする請求項８５に記載の方法。
【請求項８８】
前記方法は、コンピュータ上で変圧器構成設計ソフトウェアプログラムを実行することによって行われることを特徴とする請求項５４に記載の方法。
【請求項８９】
前記変圧器構成設計ソフトウェアプログラムは、前記変圧器のロードされたパラメータを含む前記電源設計を作成するために前記コンピュータ上で実行される電源設計ソフトウェアプログラムと同じコンピュータ上で実行されることを特徴とする請求項８８に記載の方法。
【請求項９０】
マシンによってアクセスされたときに、
電源設計を含む変圧器のパラメータをロードするステップと、
前記ロードされたパラメータに応じて前記変圧器の一次側巻線パラメータを計算するステップと、
前記ロードされたパラメータに応じて前記変圧器の二次側巻線パラメータを計算するステップであって、前記変圧器の二次側巻線のピンを割り付けるステップを含むオペレーションを実行するよう前記マシンに行わせるデータを含む、前記二次側巻線パラメータを計算するステップと、
を含むマシンアクセス可能媒体を備えた製造品。
【請求項９１】
前記ロードされたパラメータに応じて前記変圧器のバイアス巻線パラメータを計算するように前記マシンに更に行わせることを特徴とする請求項９０に記載の製造品。
【請求項９２】
前記ロードされたパラメータに応じて前記変圧器のシールド巻線パラメータを計算するように前記マシンに更に行わせることを特徴とする請求項９０に記載の製造品。
【請求項９３】
前記変圧器を構成するのに用いられる材料のリストを作成するように前記マシンに更に行わせることを特徴とする請求項９０に記載の製造品。
【請求項９４】
前記変圧器を構成するのに用いられる巻線指示を作成するように前記マシンに更に行わせることを特徴とする請求項９０に記載の製造品。
【請求項９５】
前記変圧器構成設計の出力レポートを作成するように前記マシンに更に行わせることを特徴とする請求項９０に記載の製造品。
【請求項９６】
前記変圧器の二次側巻線のピンを割り付けるときに、前記変圧器の二次側巻線のピン配列を計算するように前記マシンに行わせることを特徴とする請求項９０に記載の製造品。
【請求項９７】
前記変圧器の二次側巻線のピン配列を計算するときに、
電流によって前記二次側ピンをソートするステップと、
前記変圧器の二次側ボビン部分の中央で接地ピンを移動させるステップと、
前記接地ピンに対して奇数と偶数二次側ピンを割り当てるステップと、
１つのピン当たりのワイヤの数が許容可能でない場合に付加的な二次側ピンを割り付けるステップと、
前記変圧器が負の出力を含む場合に負の出力ピンを割り当てるステップと、
二次側ピン開始を割り当てるステップと、
を前記マシンに更に行わせることを特徴とする請求項９６に記載の製造品。
【請求項９８】
前記変圧器のシールド巻線パラメータを計算するときに、前記変圧器の一次側巻線がスプリットであるかどうかを判定するように前記マシンに行わせることを特徴とする請求項９２に記載の製造品。
【請求項９９】
前記変圧器のシールド巻線パラメータを計算するときに、前記変圧器においてフォイル技術が利用されるかどうかを判定するように前記マシンに行わせることを特徴とする請求項９２に記載の製造品。
【請求項１００】
前記変圧器のシールド巻線パラメータを計算するときに、前記変圧器に一次側バイアスフィードバックがあるかどうかを判定するように前記マシンに行わせることを特徴とする請求項９２に記載の製造品。
【請求項１０１】
前記変圧器のシールド巻線パラメータを計算するときに、計算されたシールド巻線層幅が前記変圧器の１つの層よりも多く占めるかどうかを判定するように前記マシンに行わせることを特徴とする請求項９２に記載の製造品。
【請求項１０２】
前記マシンアクセス可能媒体は、コンピュータ記憶媒体を含むことを特徴とする請求項９０に記載の製造品。
【請求項１０３】
前記マシンアクセス可能媒体は、搬送波信号を含むことを特徴とする請求項９０に記載の製造品。
【請求項１０４】
前記マシン上で実行される電源設計ソフトウェアプログラムによって前記電源設計を作成するように前記マシンに更に行わせ、前記電源設計ソフトウェアプログラムは、前記電源設計に含まれる前記変圧器のパラメータをロードする前に実行されることを特徴とする請求項９０に記載の製造品。
【請求項１０５】
前記電源設計に含まれる前記変圧器のパラメータをロードするステップは、前記コンピュータによってアクセスされた前記マシン可読媒体からファイルにアクセスすることによって、前記変圧器のパラメータをロードするステップを含む請求項１０４に記載の製造品。
【請求項１０６】
前記電源設計ソフトウェアプログラムによって作成された前記電源設計は、前記変圧器に結合される集積回路電源コントローラを含むことを特徴とする請求項１０４に記載の製造品。
【発明の詳細な説明】
【技術分野】
【０００１】
本発明の実施形態は、全体として回路の設計に関し、更に具体的には電源における変圧器構成の設計に関する。
【背景技術】
【０００２】
電源は、電子デバイスに電力を供給し該電子デバイスを動作させるために使用される。電源は、電子デバイスの必要性に応じて様々な設計の形式とすることができる。場合によっては電子デバイスは電源から直接給電され、電源によって充電されるバッテリーから給電される場合もある。
【０００３】
電源に含まれることの多い品目の１つは変圧器である。電圧は通常、電源回路の一部（一次側と呼ばれることが多い）から変圧器に印加され、変圧器は、電源回路のその部分からのエネルギーを電源回路の別の部分（二次側と呼ばれる事が多い）に伝達する。変圧器は電気的な絶縁を形成し、更に一次側と二次側との間で電圧レベルを変える。
【０００４】
電源や電源で使用される変圧器の設計と構成作業は、多くの要因と不確定要素により非常に複雑で複合的なものとなる。変圧器シールドが構成プロセスに追加される場合、複雑さは更に増大する。例えば、変圧器の設計と構成は、電源設計者が電気及び電磁妨害（ＥＭＩ）特性に関する要求仕様を有する電源を実現するために、実験を通して試行錯誤で行われることが多い。
【発明を実施するための最良の形態】
【０００５】
本発明は、添付図面において限定ではなく例証として詳細に説明され図示される。
【０００６】
電源設計ツールと統合することができる変圧器構成設計ツールの実施形態が開示される。以下の説明では、本発明の完全な理解を提供するために多数の特定の詳細が記載されている。しかしながら、本発明を実施するために特定の詳細を用いる必要がないことは当業者には明らかであろう。実装に関する公知の方法は、本発明を曖昧にしないために詳細には説明していない。
【０００７】
この明細書全体を通して「１つの実施形態」又は「ある実施形態」への言及は、実施形態に関連して説明される特定の特徴、構造、又は特性が本発明の少なくとも１つの実施形態に含まれることを意味する。従って、本明細書全体を通して種々の箇所で出現する語句「１つの実施形態において」又は「ある実施形態において」は、必ずしも全て同じ実施形態を意味するものではない。更に、特定の特徴、構造、又は特性は、１つ又はそれ以上の実施形態においていずれかの好適な方法で組み合わせることができる。
【０００８】
図１は、本発明の教示による変圧器設計ツールを含む電源設計ツールによって作成された出力１０１の実施形態を示す図である。１つの実施形態において、出力１０１は、例えば、カリフォルニア州サンジョゼのＰｏｗｅｒ  Ｉｎｔｅｇｒａｔｉｏｎｓ製のＰＩ  Ｅｘｐｅｒｔ（商標）電源設計ソフトウェアなどのコンピュータプログラムによって作成されたレポートとすることができる。他の実施形態において、本発明の教示による他のプログラムを用いて出力１０１に類似のレポートを作成することができる点を理解されたい。
【０００９】
図示の実施形態で示されるように、出力１０１は、設計警告１３９を備えた例示的な設計電源１０３の例示的なブロック図を含む。設計警告１３９は、電源１０３に関する電位問題や該電位問題に関する可能な修正の説明を電源設計者に提供する。図示された例では、出力１０１の電源１０３の設計を表示する「Ｂｌｏｃｋ  Ｄｉａｇｒａｍ」タブが選択される。電源１０３の設計は変圧器１１１を含み、図示の例では、一次側巻線１１３、二次側巻線１１５、１１７、１１９、１２１、更にバイアス巻線１２３を含む。他の変圧器設計又は実施形態では、本発明の教示に従って異なる数の巻線を設計することができる。
【００１０】
動作中、交流（ＡＣ）入力電圧Ｖｉｎは、ＡＣ電源１０５から生成され、整流回路１０７とフィルターコンデンサ１０９で整流される。整流された入力電圧Ｖｉｎは、変圧器１１１の一次側巻線１１３の一方端に印加される。電源コントローラ１２５は、一次側巻線１１１の他方端に結合される。図示された実施形態では、電源コントローラ１２５は、カリフォルニア州サンジョゼのＰｏｗｅｒ  Ｉｎｔｅｇｒａｔｉｏｎｓ製の集積回路電源コントローラのＴＯＰＳｗｉｔｃｈ（商標）ファミリー製である。他の実施形態では、本発明の教示による電源設計において他の電源コントローラを使用することができる。動作時には、電源コントローラ１２５は、オンとオフをスイッチングして一次側巻線１１１から二次側巻線１１５、１１７、１１９、１２１、更にバイアス巻線１２３への変圧器１１１のエネルギー伝達を制御又は調節するパワースイッチを含む。結果として、調節された電圧及び／又は電流は、電源１０３の出力１２７、１２９、１３１、１３３、１３５に供給される。図示された実施形態では、フィードバックが、バイアス巻線１２３から出力１３５を通り、フィードバック／二次側ツェナー回路１３７を介して電源コントローラ１２５に供給される。
【００１１】
図２は、「設計結果」タブが選択される電源設計ツールによって作成された出力１０１の例を示す図である。「設計結果」タブが選択されると、図１の電源１０３の設計に対応する設計結果２４１レポートが表示される。図示の実施形態で示されるように、設計結果は、電源入力、電源出力、デバイス変数、同様のもののリストを含む電源１０３の設計の種々の特徴を要約するレポートを含む。図のように、設計結果はまた、本発明の教示に従って電源を設計する際に電源設計者を支援する説明と他の有用な情報を提供する。
【００１２】
図３は、例えば本発明の教示による変圧器設計ツールを含む電源設計ツールなどのソフトウェアを実行できる、例えばパーソナルコンピュータ、個人用携帯型情報端末、又は他のいずれかの適切なコンピューティング相当物などのマシン３０１の１つの実施形態を示すブロック図である。１つの実施形態において、マシン３０１は、バス３０７に結合されたプロセッサ３０３を含むコンピュータである。１つの実施形態において、メモリ３０５、記憶装置３１１、ディスプレイコントローラ３０９、通信インターフェース３１３、入力／出力コントローラ３１５、音声コントローラ３２７もまたバス３０７に結合されている。
【００１３】
１つの実施形態において、マシン３０１は、通信インターフェース３１３を介して外部システムと接続される。通信インターフェース３１３は、アナログモデム、デジタルモデム、ネットワークインターフェースカード、無線ネットワークインターフェース、オプティカルキャリアインターフェース、トークンリングインターフェース、衛星伝送インターフェース、又はデバイスを他のデバイスに結合するための他のいずれかのインターフェースを含む。
【００１４】
１つの実施形態において、搬送波信号３２３は、無線アンテナ１１１と通信するために通信インターフェース３１３によって受信／送信される。１つの実施形態において、無線アンテナは、ネットワーク３１３に対する無線インターフェースを提供する。１つの実施形態において、搬送波信号３２５は、ネットワーク１１３と通信するために通信インターフェース３１３によって受信／送信される。１つの実施形態において、通信信号３２３及び／又は３２５を用いて、別のコンピュータシステム、ネットワークハブ、ルータ、又は同様のものとマシン３０１を接続することができる。１つの実施形態において、通信信号３２３、３２５は搬送波信号とみることができ、ワイヤ、ケーブル、光ファイバを介して、又は大気を通じて、或いは同様のものにより送信できるマシン可読媒体とみられる。
【００１５】
１つの実施形態において、プロセッサ３０３は、限定ではないが、例えばＩｎｔｅｌ  ｘ８６又はＰｅｎｔｉｕｍ（登録商標）ファミリーマイクロプロセッサ、Ｍｏｔｏｒｏｌａファミリーマイクロプロセッサ、或いは他のいずれかの好適な相当物などの従来型のマイクロプロセッサとすることができる。メモリ３０５は、ダイナミックランダムアクセスメモリ（ＤＲＡＭ）のようなマシン可読媒体とすることができ、スタティックランダムアクセスメモリ（ＳＲＡＭ）を含むこともできる。ディスプレイコントローラ３０９は、従来の方式でディスプレイ３１９を制御し、該ディスプレイは、１つの実施形態においては、陰極線管（ＣＲＴ）、液晶ディスプレイ（ＬＣＤ）、アクティブマトリックスディスプレイ、プラズマディスプレイ、プロジェクターディスプレイ、テレビモニター、或いは同様のものとすることができる。入力／出力コントローラ３１５に結合された入力／出力デバイス３１７は、キーボード、ディスクドライブ、プリンタ、スキャナ、さらにはテレビリモコン、マウス、トラックボール、トラックパッド、ジョイスティック、ポインティングデバイス、又は同様のものを含む他の入力デバイスや出力デバイスとすることができる。１つの実施形態において、音声コントローラ３２７は、例えば音声スピーカー、ヘッドフォン、音声受信器、増幅器、又は同様のものを含むことができる音声出力部３３１を従来の方式で制御する。１つの実施形態において、コントローラはまた、例えばマイクロフォン、オーディオデバイス又は音楽デバイスからの入力、或いは同様のものを含むことができる音声入力部３２９を従来の方式で制御する。
【００１６】
１つの実施形態における記憶装置３１１は、限定ではないが、例えば磁気ハードディスク、フロッピー（登録商標）ディスク、光ディスク、フラッシュメモリドライブ、スマートカード、或いはデータを記憶するための他のいずれかの適切な記憶媒体相当物などのマシン可読又はアクセス可能な媒体を含むことができる。１つの実施形態において、記憶装置３１１は、取外し可能媒体、読出し専用媒体、読出し可能／書込み可能媒体、又は同様のものを含むことができる。データの一部は、コンピュータシステム３０１内のソフトウェアの実行中に直接メモリアクセスプロセスによってメモリ３０５に書き込むことができる。ソフトウェアは、記憶装置３１１又はメモリ３０５内に常駐することができ、或いはモデム又は通信インターフェース３１３を介して送信又は受信することができる点を理解されたい。本明細書の目的において用語「マシン可読媒体」とは、データ又は情報を記憶することができ、或いは本発明の方法をプロセッサ３０３に実行させるためにプロセッサ３０３によって実行される命令シーケンスを符号化することができるいずれかの媒体を含むと解釈される。用語「マシン可読媒体」は、限定ではないが、半導体メモリ、光及び磁気ディスク、搬送波信号、その他の同様のものを含むと解釈されるものとする。
【００１７】
図４は、変圧器構成設計ツールの実施形態の出力４０１の実施形態を示す図であり、１つの実施形態において変圧器構成設計ツールは、本発明の教示による電源設計ツールと統合することができる。１つの実施形態において、変圧器構成設計ツールは、例えばマシン３０１などのコンピュータ上で動作するソフトウェアツールである。例えば、１つの実施形態において、変圧器構成設計ツールソフトウェアは、記憶装置３１１、メモリ３０５、及び／又は通信信号３２３及び／又は３２５の搬送波信号でアクセスできる命令を含む。プロセッサ３０３が命令にアクセスする場合、変圧器構成設計ツールの実施形態は、本発明の教示によるマシン３０１によって実行される。
【００１８】
１つの実施形態において、変圧器構成設計ツールは、例えば上記の図１、２に関連して説明された電源設計ツールの例のような電源設計ツールと統合され、或いはこれと共に使用することができる。特に１つの実施形態において、変圧器構成設計ツールは、本発明の教示による図１、２で上述された電源１０３の設計に含まれる変圧器設計を構成する方法に関して電源設計者に対しより詳細な情報を提供する。１つの実施形態において、電源１０３の設計に関する情報は、本発明の教示に従って、マシン３０１上で記憶装置３１１内にローカルに、或いは通信インターフェース３１３を介してアクセスされるネットワーク記憶デバイス内にリモートで格納されたデータファイルを介して変圧器構成設計ツールに対する入力として供給することができる。１つの実施形態において、電源１０３の設計に関する情報は、本発明の教示による入力／出力デバイス３１７を介して変圧器構成設計ツールに対する、又は入力／出力コントローラ３１５を介してマシン３０１に対する入力として提供することができる。
【００１９】
説明のため、出力４０１は、本発明の教示に従って構成される変圧器の図４０３を含む。１つの実施形態において、出力４０１は、例えばディスプレイ３１９のようなディスプレイ上の出力であり、或いは出力は、例えば通信インターフェース３１３又は入力／出力コントローラ３１５、或いは同様のものを介してマシン３０１に接続されたプリンタでプリントですることができる。１つの実施形態において、出力４０１の情報は、例えば記憶装置３１１のようなローカルハードドライブ、或いは例えば通信インターフェース３１３を介してアクセスされるネットワーク記憶デバイス内に格納されたファイルに記憶することができる。
【００２０】
図示の実施形態で示されるように、出力４０１は、本発明の教示に従って構成される変圧器の図４０３を含む。出力４０１での変圧器に関連するのは、図４０３に示される変圧器を構成する際に使用できる特定の詳細情報である。例えば、図示の実施形態で示されるように、出力４０１は、図４のコア情報レポート４０５、ボビン情報レポート４０７、一次側巻線レポート４０９、バイアス巻線レポート４１１、シールド情報レポート４１３を含むことができる。レポートの各々は、本発明の教示に従って設計された変圧器を電源設計者が構成するのに有用な詳細な情報又はパラメータを含む。
【００２１】
例えば、１つの実施形態では、コア情報レポート４０５は、コアタイプ、コア材料、ギャップ長、ギャップ有効インダクタンス、一次側インダクタンスに関する情報を含む。ボビン情報レポート４０７は、ボビン参照番号、一次側ピンの数、二次側ピンの数、左右のマージンを含む。一次側巻線レポート４０９は、巻数、ワイヤサイズ、フィラー、層、開始ピン、終端ピンに関する関連セクションのパラメータを含む。この開示の目的において、用語「フィラー」とは、ワイヤの幾つかの平行ストランドを表すものと解釈することができる。バイアス巻線レポート４１１は、巻数、ワイヤサイズ、フィラー、層、開始ピン、終端ピンに関するパラメータや関連の値を含む。シールド情報レポート４１３は、一次側シールド、二次側シールド、さらに該当する場合は巻数、ワイヤサイズ、フィラー、層、開始ピン、終端ピンに関する相殺シールド巻線に関連したパラメータを含む。
【００２２】
図５は、本発明の教示による変圧器構成設計ツールの実施形態によって作成される出力４０１の実施形態においてレポートすることができる付加情報を示す図である。図５の図に示されるように、出力４０１の１つの実施形態は、本発明の教示による二次側巻線レポート５１５と巻線指示レポート５１７を含む。図示された実施形態では、二次側巻線レポート５１５は、巻数、ワイヤサイズ、フィラー、層、開始ピン、終端ピンに関する関連出力のためのパラメータを含む。巻線指示レポート５１７は、例えば一次側セクション１、バイアス巻線、二次側巻線、シールド巻線の各々（一次側シールド、二次側シールド、相殺シールド）、二次側セクション２を含む変圧器のセクションで特定の巻線の各々の巻き方に関する特定の詳細な指示の１つの実施形態を含む。１つの実施形態において、巻線指示レポート５１７はまた、コアをどのように構成するか、さらに変圧器をどのようにワニス塗布するかなどに関する指示を含むこともできる。
【００２３】
図６は、本発明の教示による変圧器構成設計ツールの実施形態によって作成される出力４０１の実施形態においてレポートすることができる、より詳細な情報を示す図である。図６の図面に示されるように、出力４０１の１つの実施形態はまた、本発明の教示による変圧器構成に関するコメントレポート６１９、材料レポート６２１、電気テスト仕様レポート６２３を含む。図示の実施形態では、コメントレポート６１９は、記載された特定の変圧器の構成に関する有用な提案を含む。材料レポート６２１は、変圧器を構成するのに使用される材料の詳細なリストを提供し、電気テスト仕様レポート６２３は、本発明の教示に従って構成される特定の変圧器のパラメータ、条件、仕様のリストを提供する。
【００２４】
図７は、本発明の教示による変圧器構成設計ツールの実施形態での事象７０１のプロセス又は流れの１つの実施形態を示すフローチャート図である。１つの実施形態において、コンピュータ上で実行されるソフトウェア電源設計ツールは、事象７０１の流れにおいて示される処理の前に、電源設計が電源設計ツールによって作成されるように実行される。１つの実施形態において、作成された電源設計は、本発明の教示に従って設計され構成される変圧器を含む。１つの実施形態において、作成された電源設計は、記憶素子３１１のような記憶デバイス又はメモリ３０５又は図３のネットワーク３１３においてアクセスできる記憶デバイスなどのコンピュータ可読媒体に記憶される。別の実施形態において、作成された電源設計は、コンピュータから通信インターフェース３１３又は入力／出力コントローラ３１５を介してコンピュータに接続されたプリンタ、或いはディスプレイコントローラ３０９を介したディスプレイ３１９により出力することができる。１つの実施形態において、図７や後続の図で説明された処理は、本発明の教示による電源設計を作成する電源設計ツールプログラムを実行する同じコンピュータ又は異なるコンピュータによって実行されるソフトウェアツールを用いて実行することができる。
【００２５】
図７に示された実施形態では、処理は、ブロック７０３の変圧器構成設計ツールの初期化で始まる。初期化後、ブロック７０５は、設計された変圧器の一次側巻線パラメータが計算されることを示している。次に処理は、バイアス巻線パラメータが計算されることを示すブロック７０７に進む。バイアス巻線パラメータが計算された後、ブロック７１９は、二次側巻線パラメータが計算されることを示している。次いで処理は、シールド巻線パラメータが次に計算されることを示すブロック７１１に続く。説明されるように、様々なオペレーションが、種々の変圧器巻線のパラメータの計算中に実行される。例えば種々の実施形態では、所与の変圧器ボビン上でのピンの適切な数に対してのそれぞれの巻線の割り付けは、本発明の教示に従って決定される。ピンの適切な数に対してのそれぞれの巻線のこの割り付けは、本発明の教示に従って一次側、バイアス、二次側及び／又はシールドの巻線の１つ又はそれ以上に関して実行することができる。
【００２６】
巻線のパラメータが計算された後、処理は、材料リストが次に作成されることを示すブロック７１３に続く。１つの実施形態において、変圧器セクションの全ての計算結果は、ブロック７１３でレビューすることができ、材料リストは、各材料に対して固有の識別子で作成される。次に処理は、巻線指示とコメントが作成されることを示すブロック７１５に続く。１つの実施形態において、ブロック７１５で作成された巻線指示は、ブロック７１１で計算されたように特定のシールドケースに少なくとも部分的に基づいて作成される。ブロック７１７は、変圧器構成設計ツールの実施形態の出力又はレポートを次に表示又は作成することを示している。出力が表示された後、ブロック７１９は、次いでパラメータ変更を伴うユーザー事象がある場合に制御をブロック７０５に戻すことを示している。次に、「ユーザー終了」のユーザー事象がある場合、処理は本発明の教示に従って事象７０１の流れを終了する。
【００２７】
図８は、本発明の教示による変圧器構成設計ツールの実施形態におけるブロック７０３での初期化事象の流れの１つの実施形態を示すフロー図である。１つの実施形態において、初期化は、ブロック８０３で示されるような設計ツールの全エンジン構造をクリアする段階を含む。ブロック８０５は、変圧器設計のパラメータが次にロードされることを示している。１つの実施形態において、ロードされるパラメータは、例えば本発明の教示による電源設計ツールによって作成された記憶装置３１１内又はその上のファイルに記憶することができる変圧器のパラメータを含む。別の実施形態において、変圧器のパラメータは、例えば通信インターフェース３１３を介して、又は入力／出力コントローラ３１５によって入力デバイス３１７を介して受信される通信信号３２３及び／又は３２５のような他の適切な技術によって変圧器構成設計ツールにロードすることができる。パラメータがロードされた後、ブロック８０７は、パラメータが次に、本発明の教示による変圧器構成設計ツールによって、例えば電圧で編成又はソートされることを示している。１つの実施形態において、負の出力は他の出力から分離され、負の出力がブロック８０７のソートに加わらないようにする。
【００２８】
図９は、本発明の教示による変圧器構成設計ツールの実施形態においてブロック７０５の一次側巻線パラメータの計算中に生じる事象の流れの１つの実施形態を示すフロー図である。ブロック９０３は、一次側ワイヤサイズが許容可能であるか否かを判断されることを示している。例えば１つの実施形態において、最も大きな一次側ワイヤサイズは、２０米国ワイヤ規格（ＡＷＧ）である。ワイヤゲージが許容可能でない場合、ブロック９０５は、同等のワイヤサイズとフィラーが計算されることを示している。１つの実施形態において、同等のワイヤサイズは、特定の巻線、電源のトポロジー、電源設計プログラムによって設計された電源のスイッチング周波数の１つ又はそれ以上に基づいて計算される。ブロック９０７は、スプリット又はサンドイッチ一次側構成があるかどうかを判定されることを示している。ブロック９０９は、一次側ピン割り付けが計算されることを示している。ブロック９１１は、１つの実施形態において、ピン上で終端するか、ピンに結合されるワイヤの最大数が実際にあるか、或いはピンに結合可能なワイヤの所定の最大数の範囲内であることを保証する必要がある場合に付加的なピンが割り付けられることを示している。１つの実施形態において、巻線が変圧器の各ピンに結合される順序も決定される。１つの実施形態において、変圧器の特定のピン上で終端される変圧器の特定の巻線のアイデンティティは、本発明の教示に従ってブロック９０９及び／又は９１１内の処理中に決定される。ブロック９１３は、一次側のピンの総数が次に求められることを示している。１つの実施形態において、必要とされるピンの総数は、ピン上で終端されたワイヤの数に少なくとも部分的に基づく。
【００２９】
図１０は、本発明の教示による変圧器構成設計ツールの実施形態におけるブロック７０７のバイアス巻線パラメータの計算中の事象の流れの１つの実施形態を示すフロー図である。ブロック１００３は、バイアス巻線が占めるワイヤサイズとボビンウィンドウ幅のパーセンテージが許容可能であるかどうかをチェックする。１つの実施形態において、パラメータの１つが許容可能でない場合、ブロック１００５は、最適又は改良ワイヤサイズとフィラーを計算する。１つの実施形態において、変圧器構成設計ツールはまた、バイアス層を最適化しようと試みる。１つの実施形態において、最適バイアス層は０．５と１．０との間である。また、ブロック１００７は、変圧器構成設計ツールが、本発明の教示に従ってバイアス巻線ピン割り付けを決定することを示している。
【００３０】
図１１は、本発明の教示による変圧器構成設計ツールの実施形態でのブロックの二次側巻線パラメータの計算中の事象の流れの１つの実施形態を示すフロー図である。ブロック１１０３は、変圧器の全出力が識別又は計算されることを示している。ブロック１１０５は、二次側ピンが次に電圧によって割り付けられることを示している。１つの実施形態において、ピン割り付けは、電圧によってソートされたスタック出力に基づき、スタック出力は、１つの巻線の始めが前の巻線又は前の巻線の整流出力の終わりに接続される場合の出力である。１つの実施形態において、許容される１つのピン当たりの許容可能な最大のワイヤが存在し、ピンに割り付けられたワイヤの数が所定の制限数を越える場合に追加のピンが割り付けられる。１つの実施形態において、第１の二次側ピンは一次側における最後のピンに基づく。ブロック１１０７は、次に接地ピンが定められることを示しており、ブロック１１０９は、二次側ピン割り付けが電流によって決定されることを示している。
【００３１】
１つの実施形態において、ブロック１１０９の電流による二次側ピン割り付けは、ブロック１１１１で示されるように総スタック出力の数が１つより多いかどうかを判定することで始まる。１つより多くない場合、出力は独立しているか、或いは単一の出力であり、電流による二次側ピン割り付けは必要ではない。しかしながら、スタック出力の総数が１より多い場合、次にブロック１１１３は、ピン割り付けデータがブロック１１０５で決定された電圧による割り付けによりロードされることを示している。ブロック１１１５は、次に接地ピンが二次側ボビン部分の中央で移動させられることを示している。ブロック１１１７で、次いで有効な全ての出力は、接地ピンから奇数部分（例えば接地ピンの上に物理的に配置される）又は偶数部分（例えば接地ピンの下に物理的に配置される）に割り当てられる。次に、有効な全ての出力が考慮され、１つのピン当りのワイヤの数が所定の制限数或いは許容される１つのピン当たりの最大ワイヤを超えるかどうかをチェックすることによって、付加的な二次側ピンが必要であるかが判定される。付加的なピンが必要である場合、これらは定められた位置で挿入される。ブロック１１２１は、負の出力が存在する場合に負の出力ピンが割り当てられることを示している。ブロック１１２３は、次いで、新しい二次側開始ピンと終端ピンが割り当てられることを示している。ブロック１１２５は、新しい二次側ピン割り付けの同期がとれていないかどうかがチェックされ、すなわち追加ピン割当てのプロセス中に、第１の二次側ピン又は二次側ピンのいずれかの組み合わせがシフトしたかどうかがチェックされることを示している。そうである場合、ブロック１１２７で示されるように電圧による出力ピン割り付けのプロセス中に計算された値と第１の二次側ピンを同期させるように適正な方向に全てのピンをシフトさせる。次いで、本発明の教示に従って変圧器設計の二次側巻線パラメータの計算が終了する。
【００３２】
図１２は、本発明の教示による変圧器構成設計ツールの実施形態におけるブロック７１１のシールド巻線パラメータの計算中の事象の流れの１つの実施形態を示すフローチャート図である。ブロック１２０３は、シールド巻線パラメータの計算がシールド構造のクリアで始まるときに初期化が生じることを示している。図示されるように、１つの実施形態において、全てのシールド計算は、構成される変圧器の特定のシールド「ケース」に基づく。１つの実施形態において、これらのシールドケースは、使用されるデバイスのタイプ、巻数、層、フィラー、出力パワー、出力の電圧又は電流、構成のスプリット（サンドイッチ）一次側タイプが使用されるか否か、さらには二次側巻線のタイプ（ワイヤ又はフォイル）などのような変数を含む電気パラメータの複雑な考慮事項から導かれる。特定の設計に存在する組合せに応じて、シールドケースは、インテリジェントにその組合せに割り当てられる。
【００３３】
例えば、ブロック１２０７では、構成される変圧器のシールド設計が、フォイル技術のないスプリット（サンドイッチ）一次側が存在する第１シールドケースに該当するかどうかを判定する。該当する場合、ブロック１２１９で、この第１シールドケースに従って一次側シールドが計算される。１つの実施形態において、ユーザーはまた、コアの回りの磁束帯域の追加により良好に設計できることをアドバイスされる。
【００３４】
構成される変圧器のシールド設計が第１シールドケースに該当しない場合には、ブロック１２０９で、構成される変圧器のシールド設計がフォイル技術があるスプリット（サンドイッチ）一次側が存在する第２シールドケースに該当するかどうかを判定する。該当する場合、ブロック１２２１で、この第２シールドケースに従って一次側シールドが計算される。１つの実施形態において、一次側シールドのこの設計は、第１のケースと異なる場合があり、或いは同じ場合もある。１つの実施形態において、ユーザーはまた、コアの回りの磁束帯域の追加によってより良好に設計できることをアドバイスされる。
【００３５】
構成される変圧器のシールド設計が第１又は第２シールドケースに該当しない場合は、ブロック１２１１で、構成される変圧器のシールド設計がスプリット（サンドイッチ）一次側がなく且つフォイル技術がない第３シールドケースに該当するかどうかを判定する。該当する場合、ブロック１２２３で、この第３シールドケースに従って一次側シールドが計算され、相殺シールドがブロック１２２５で計算される。１つの実施形態において、一次側シールド設計は、第１又は第２ケースで使用される設計とは異なる可能性がある。
【００３６】
構成される変圧器のシールド設計が、第１又は第２又は第３シールドケースに該当しない場合には、ブロック１２１３で、構成される変圧器のシールド設計がスプリット（サンドイッチ）一次側がなく且つフォイル技術がある第４シールドケースに該当するかどうかを判定する。該当する場合、この第４ケースに従って、ブロック１２２７で二次側シールドが計算され、ブロック１２２９で相殺シールドが計算される。１つの実施形態において、相殺シールド設計は、第１又は第２ケースで使用される設計とは異なる可能性がある。１つの実施形態において、ユーザーは、コアの回りの磁束帯域の追加によってより良好に設計できることをアドバイスされる。
【００３７】
構成される変圧器のシールド設計が、第１、第２、第３、又は第４シールドケースに該当しない場合、ブロック１２１５で、構成される変圧器のシールド設計がスプリット（サンドイッチ）一次側がなく且つフォイル技術があり二次側シールド層が１つよりも多い第６シールドケースに該当するかどうかを判定する。該当する場合、この第６ケースに従って、ブロック１２３１で一次側シールドが計算され、ブロック１２３３で相殺シールドが計算される。
【００３８】
構成される変圧器のシールド設計が、第１、第２、第３、第４、又は第６シールドケースに該当しない場合には、ブロック１２１７で、構成される変圧器のシールド設計がスプリット（サンドイッチ）一次側がなく且つフォイル技術がありバイアス巻線がない第７シールドケースに該当するかどうかを判定する。該当する場合、この第７ケースに従って、ブロック１２３５で二次側シールドが計算され、ブロック１２３７で一次側シールドが計算され、ブロック１２３９で相殺シールドが計算される。
【００３９】
構成される変圧器のシールド設計が、第１、第２、第３、第４、第６、又は第７シールドケースに該当しない場合には、構成される変圧器のシールド設計は、一次側バイアスがあり且つシールド巻線のない第５シールドケースに該当すると仮定される。この第５ケースでは、第１、第２、第３、第４、第６、第７ケースの全てに関して上述されたフロー事象の後でピン１がチェックされ、全てのピンがブロック１２４１毎に必要に応じてシフトされる。１つの実施形態において、ピン１上のワイヤの数は、最大制限数に対してチェックされる。その後、シールド巻線パラメータの計算は、本発明の教示に従って終了する。
【００４０】
複数の別個のブロックとして上述されたオペレーションは、本発明の教示による種々の実施形態を理解する際に有用である方式で順番に行われたことを理解されたい。しかしながら、上記に説明されたブロックの順序は、これらのオペレーションが順序に依存し或いはブロックが提示される順序でオペレーションが必ずしも行われることを意味するものと解釈すべきではない。勿論、説明されたプロセスブロックは、本発明の実施形態を説明するための例を提供するものであり、他の実施形態を本発明の教示に従って用いることができる。
【００４１】
上記の詳細な説明においては、本発明の方法及び装置をその特定の例示的な実施形態に関して説明してきた。しかしながら、本発明の広範な精神及び範囲から逸脱することなく本発明に対し種々の修正及び変更を行うことができることは明らかであろう。従って、本明細書及び各図は、限定ではなく例証とみなされるべきである。
【図面の簡単な説明】
【００４２】
【図１】本発明の教示によるコンピュータで実行される電源ソフトウェア設計ツールの実施形態によって作成された、変圧器設計の実施形態を含む電源設計のブロック図の実施形態を示す図である。
【図２】本発明の教示によるコンピュータで実行される電源ソフトウェア設計ツールの実施形態によって作成された。変圧器設計の実施形態を含む電源設計の設計結果の実施形態を示す図である。
【図３】本発明の教示による電源設計ツール及び変圧器構成設計ツールの実施形態と共に使用できるコンピュータシステムの１つの実施形態を示すブロック図である。
【図４】本発明の教示による変圧器構成設計ツールの実施形態の出力の実施形態を示す図である。
【図５】本発明の教示による変圧器構成設計ツールの実施形態の付加的な出力の実施形態を示す図である。
【図６】本発明の教示による変圧器構成設計ツールの実施形態の出力の更に別の実施形態を示す図である。
【図７】本発明の教示による変圧器構成設計ツールの実施形態における事象の流れの１つの実施形態を示すフローチャート図である。
【図８】本発明の教示による変圧器構成設計ツールの実施形態の初期化の事象の流れの１つの実施形態を示すフローチャート図である。
【図９】本発明の教示による変圧器構成設計ツールの実施形態での一次側巻線パラメータの計算における事象の流れの１つの実施形態を示すフローチャート図である。
【図１０】本発明の教示による変圧器構成設計ツールの実施形態でのバイアス巻線パラメータの計算における事象の流れの１つの実施形態を示すフローチャート図である。
【図１１】本発明の教示による変圧器構成設計ツールの実施形態での二次側巻線パラメータの計算における事象の流れの１つの実施形態を示すフローチャート図である。
【図１２】本発明の教示による変圧器構成設計ツールの実施形態でのシールド巻線パラメータの計算における事象の流れの１つの実施形態を示すフローチャート図である。
【図１】
2008521219.tif 000003
【図２】
2008521219.tif 000004
【図３】
2008521219.tif 000005
【図４】
2008521219.tif 000006
【図５】
2008521219.tif 000007
【図６】
2008521219.tif 000008
【図７】
2008521219.tif 000009
【図８】
2008521219.tif 000010
【図９】
2008521219.tif 000011
【図１０】
2008521219.tif 000012
【図１１】
2008521219.tif 000013
【図１２】
2008521219.tif 000014
【国際調査報告】
2008521219.tif 000015
2008521219.tif 000016
2008521219.tif 000017
2008521219.tif 000018
2008521219.tif 000019
2008521219.tif 000020